(57)【要約】      （修正有）【課題】空気調和機から吹き出される風の向きを多方向に変更させることができる風向調整具を提供する。【解決手段】空気調和機からの吹出風の風向きを調整する風向調整具１で、天井面又は空気調和機のケーシングに取り付けられる基部１０と、前記吹出風を受けて当該吹出風の風向きを変更し得る羽板４０と、一端が前記基部１０に接続され、他端が前記羽板４０に接続される支持柱２０とを備えている。前記支持柱２０と羽板４０との接続部に当該羽板４０の向きを上下方向及び左右方向に変更可能な角度調整機構が配設されている。【選択図】図１
2015075322.tif 000002
【特許請求の範囲】
【請求項１】
空気調和機（ＡＣ）からの吹出風の風向きを調整する風向調整具（１）であって、
天井面（６１）又は空気調和機のケーシング（６０，６２）に取り付けられる基部（１０）と、
前記吹出風を受けて当該吹出風の風向きを変更し得る羽板（４０）と、
一端が前記基部（１０）に接続され、他端が前記羽板（４０）に接続される支持柱（２０）と
を備えており、
前記支持柱（２０）と羽板（４０）との接続部に当該羽板（４０）の向きを上下方向及び左右方向に変更可能な角度調整機構が配設されていることを特徴とする風向調整具（１）。
【請求項２】
前記角度調整機構が、回動軸として機能する軸部と、この軸部が嵌入される孔を有する支持部とで構成されている、請求項１に記載の風向調整具（１）。
【請求項３】
複数の基部（１０）を備えており、
支持柱（２０）と羽板（４０）との間に一つの中間支持部（３０）が配設されており、
支持柱（２０）は、基部（１０）の数と同数の柱部（２１）を有しており、各柱部（２１）と各基部（１０）とが接続されている、請求項１又は２に記載の風向調整具（１）。
【請求項４】
前記支持部が、
支持柱（２０）の他端側に形成された第１支持部（２４）と、
羽板（４０）に形成された第２支持部（４３）と、
第１支持部（２４）と第２支持部（４３）との間に配設される中間支持部（３０）とで構成されており、
前記軸部が、
第１支持部（２４）に形成された孔（２６）と、中間支持部（３０）に形成された上部孔（３５）とに嵌入される第１ボルト（４）と、
第２支持部（４３）に形成された孔（４４）と、中間支持部（３０）に形成された下部孔（３６）とに嵌入される第２ボルト（６）とで構成されている請求項２又は３に記載の風向調整具（１）。
【請求項５】
前記第１ボルト（４）及び第２ボルト（６）が、金属製のねじ部と、合成樹脂製の頭部とで構成されており、
前記ねじ部に合成樹脂製のナット（５，７）が締結されている、請求項４に記載の風向調整具（１）。
【請求項６】
前記基部（１０）と支持柱（２０）との間に当該支持柱（２０）の向きを上下方向に変更可能な角度調整部（５０）が設けられている請求項１〜５のいずれか１項に記載の風向調整具（１）。
【発明の詳細な説明】
【技術分野】
【０００１】
本発明は風向調整具に関する。さらに詳しくは、空気調和機から吹き出される吹出風の風向きを調整する風向調整具に関する。
【背景技術】
【０００２】
空気調和機（室内機）から吹き出される風が直接に体にあたると不快に感じることがある。また、吹出口に配設されたフラップやルーバーなどにより、当該吹出口から吹き出される風の向きや分布をある程度調整することができるが、室内に均一に風を行きわたらせることは難しい。さらに、温度感覚は人により異なるため、特に冷房時において冷風が自身の近傍に吹き出されるのを嫌う人がいる。
【０００３】
そこで、空気調和機から吹き出された風の向きを変更することができる風向調整具が種々提案されている（例えば、特許文献１参照）。
【０００４】
特許文献１記載のエアコン用風向調整具１０１は、図９〜１０に示されるように、空気調和機１０２の吹出口１０３周辺のエアコン外装１０４に取り付けられる基台１０５と、基台１０５に取り付けられる支持柱１０６と、支持柱１０６によって吹出口１０３と並行に支持される短冊形状の羽板１０７と、支持柱１０６と基台１０５又は羽板１０７との間に設けられる角度調整部１０８ａ，１０８ｂとを備えている。特許文献１記載のエアコン用風向調整具１０１では、角度調整部１０８ａ，１０８ｂによって、図１０の矢印Ａで示されるように、羽板１０７を上下方向に回動させることができ、これにより、吹出口１０３から吹き出される風の向きを上下方向において変更させることができる。
【先行技術文献】
【特許文献】
【０００５】
【特許文献１】実用新案登録第３１８３７３６号明細書
【発明の概要】
【発明が解決しようとする課題】
【０００６】
しかし、特許文献１記載の風向調整具１０１は、上下方向にしか風の向きを調整することができないので、室内の気流制御には限界があった。特に、一方向吹出型又は二方向吹出型の空気調和機では、風の吹き出し方向と直交する方向への風の流れがほとんどないため、室内の気流を十分に制御することは困難である。このため、例えば冷房時において、冷え過ぎの場所と、冷えが足りない場所とが同じ室内において混在することがある。
【０００７】
本発明は、このような事情に鑑みてなされたものであり、空気調和機から吹き出される風の向きを多方向に変更させることができる風向調整具を提供することを目的としている。
【課題を解決するための手段】
【０００８】
（１）本発明の風向調整具は、空気調和機からの吹出風の風向きを調整する風向調整具であって、
天井面又は空気調和機のケーシングに取り付けられる基部と、
前記吹出風を受けて当該吹出風の風向きを変更し得る羽板と、
一端が前記基部に接続され、他端が前記羽板に接続される支持柱と
を備えており、
前記支持柱と羽板との接続部に当該羽板の向きを上下方向及び左右方向に変更可能な角度調整機構が配設されていることを特徴としている。
【０００９】
本発明の風向調整具では、支持柱と羽板との接続部に配設された角度調整機構によって、羽板の向きを上下方向及び左右方向に変更することができ、かかる上下方向及び左右方向の変更の程度を適宜組み合わせることにより、羽板の向きを多方向に変更させることができる。これにより、室内の気流の制御を従来よりも高精度に行うことができ、例えば、冷房時において冷風が体に強く当たり不快に感じたり、あるいは逆に冷風が来なくて冷えが足りないといった不具合を緩和することができる。
【００１０】
（２）前記（１）の風向調整具において、前記角度調整機構を、回動軸として機能する軸部と、この軸部が嵌入される孔を有する支持部とで構成することができる。この場合、支持部の孔に嵌入された軸部を回動させるという簡単な構成により、羽板の角度を上下方向及び左右方向に変更させることができる。
【００１１】
（３）前記（１）又は（２）の風向調整具において、複数の基部（１０）を備えており、
支持柱（２０）と羽板（４０）との間に一つの中間支持部（３０）が配設されており、
支持柱（２０）は、基部（１０）の数と同数の柱部（２１）を有しており、各柱部（２１）と各基部（１０）とが接続されているものとすることができる。この場合、複数の基部を用いているので、風向調整具を安定した状態で天井面などに取り付けることができる。
【００１２】
（４）前記（２）又は（３）の風向調整具において、前記支持部を、
支持柱の他端側に形成された第１支持部と、
羽板に形成された第２支持部と、
第１支持部と第２支持部との間に配設される中間支持部とで構成するとともに、
前記軸部を、
第１支持部に形成された孔と、中間支持部の形成された上部孔とに嵌入される第１ボルトと、
第２支持部に形成された孔と、中間支持部に形成された下部孔とに嵌入される第２ボルトとで構成することができる。この場合、第１支持部の孔及び中間支持部の上部孔に嵌入された第１ボルト、並びに、第２支持部の孔及び中間支持部の下部孔に嵌入された第２ボルトを回動させることにより、羽板の角度を上下方向及び左右方向に変更させることができる。
【００１３】
（５）前記（４）の風向調整具において、前記第１ボルト及び第２ボルトが、金属製のねじ部と、合成樹脂製の頭部とで構成されており、
前記ねじ部に合成樹脂製のナットが締結されていることが好ましい。この場合、ねじ部を金属製とし、他の部位（ボルトの頭部及びナット）を合成樹脂製とすることで、必要な強度を確保しつつ全体の軽量化を図ることができる。また、外部に露出する部位を合成樹脂製とすることで、耐腐食性を向上させることができる。
【００１４】
（６）前記（１）〜（５）の風向調整具において、前記基部と支持柱との間に当該支持柱の向きを上下方向に変更可能な角度調整部が設けられていることが好ましい。この場合、羽板の水平方向における位置を変更させることができるので、基部の取付位置と吹出風の吹出口とが水平方向に離れているときでも、当該羽板を吹出口の下方に位置させることができ、吹出口からの吹出風を効果的に羽板の上面に当てることができる。
【発明の効果】
【００１５】
本発明の風向調整具によれば、空気調和機から吹き出される風の向きを多方向に変更させることができる。
【図面の簡単な説明】
【００１６】
【図１】本発明の風向調整具の一実施形態の分解斜視図である。
【図２】（ａ）は図１に示される基部の正面図であり、（ｂ）は同側面図である。
【図３】（ａ）は図１に示される支持柱の正面図であり、（ｂ）は同側面図である。
【図４】（ａ）は図１に示される中間支持部の平面図であり、（ｂ）は同正面図であり、（ｃ）は同側面図である。
【図５】（ａ）は支持柱と中間支持部との接続状態を説明する正面図であり、（ｂ）は同側面図である。
【図６】（ａ）は中間支持部と羽板との接続状態を説明する正面図であり、（ｂ）は同側面図である。
【図７】図１に示される風向調整具の空気調和機への取付状態の一例を示す図である。
【図８】図１に示される風向調整具の空気調和機への取付状態の他の例を示す図である。
【図９】従来の風向調整具の斜視説明図である。
【図１０】図９に示される風向調整具の空気調和機への取付状態説明図である。
【発明を実施するための形態】
【００１７】
以下、添付図面を参照しつつ、本発明の風向調整具の実施形態を詳細に説明する。
【００１８】
図１は、本発明の一実施形態に係る風向調整具１の分解斜視図である。風向調整具１は、図１に示されるように、複数の部材ないし部品を組み立てることで構成されている。本実施形態に係る風向調整具１は、基部１０と、支持柱２０と、中間支持部３０と、羽板４０とを備えている。基部１０、支持柱２０、中間支持部３０及び羽板４０は、いずれも例えばポリエチレンなどの合成樹脂で作製することができる。以下、各構成について説明する。なお、以下の説明では、羽板４０の長手方向を「左右方向」としている。また、天井面に対し垂直な方向（図１において、略上下の方向）を「上下方向」としている。
【００１９】
〔基部〕
基部１０は、空気調和機が配設される部屋の天井面、又は当該空気調和機のケーシングに取り付けられ、風向調整具１を所定の箇所に配設するために用いられる部材である。本実施形態における基部１０は、図１〜２に示されるように、長方形状の板部１１と、この板部１１の下面に形成された支持部１２とを有している。支持部１２は、板部１１の下面において互いに離間して立設された一対の板体１２ａからなっており、各板体１２ａの略中央には孔１３が穿設されている。また、図２の（ｂ）に示されるように、板体１２ａの下部は半円形状に形成されている。
【００２０】
本実施形態では、支持柱２０の形状に合わせて２つの基部１０が採用されている。２つの基部１０は、同じ形状及びサイズであり、左右に所定距離だけ離れた状態で空気調和機が配設される部屋の天井面、又は当該空気調和機のケーシングに取り付けられる。２つの基部１０を用いることにより、風向調整具１を安定した状態で天井面などに取り付けることができる。
【００２１】
〔支持柱〕
支持柱２０は、羽板４０を支持ないし保持するための部材であり、本実施形態では、図３に示されるように、正面から見てＶ字形状を呈している。支持柱２０は、左右対称の部材であり、左側の柱部２１と、右側の柱部２２と、両柱部２１、２２の根本部が接続された矩形状のベース部２３と、このベース部２３の下面側に設けられた第１支持部２４とを有している。
【００２２】
柱部２１及び２２は、いずれも帯状の板材からなっている。柱部２１及び２２は、先端側（基部１０側）の係止部２１ａ、２２ａと、当該係止部２１ａ，２２ａよりベース部２３側に位置しており、平坦で細長の板材からなる本体部２１ｂ、２２ｂとを有している。係止部２１ａ、２２ａは、風向調整具１を天井面などに取り付けた状態において、水平面に垂直な面内に位置し、一方、本体部２１ｂ、２２ｂは、水平面に対し０〜４５°傾斜した傾斜面内に位置する。係止部２１ａ，２２ａと本体部２１ｂ、２２ｂとは曲面部２１ｃ、２２ｃで接続されており、本体部２１ｂ、２２ｂとベース部２３とは曲面部２１ｄ、２２ｄで接続されている。係止部２１ａ，２２ａの先端側は半円形状に形成されている。また、係止部２１ａ，２２ａにはそれぞれ孔２５が穿設されている。
【００２３】
本実施形態では、前記基部１０の支持部１２と、柱部２１、２２の係止部２１ａ、２２ａと、後述するボルト及びナットとで角度調整部５０が構成されており、この角度調整部５０によって支持柱２０の向きを上下方向に変更することができる。係止部２１ａ、２２ａの厚さｔ１（図３の（ａ）参照）は、支持部１２を構成する一対の板体１２ａ，１２ａ間の距離ｄ１（図２（ａ）参照）よりもわずかに小さくなるように設定されている。係止部２１ａ、２２ａを前記一対の板体１２ａ，１２ａ間に挟み込み、支持部１２の孔１３の中心と、係止部２１ａ、２２ａの孔２５の中心とが同一直線上に位置するように係止部２１ａ、２２ａ又は支持部１２の位置を調整した後に孔２５及び孔１３にボルト２を挿通し、ついでボルト２の先端側からナット３を締め付けることで角度調整部５０を構成することができる。このように、基部１０と支持柱２０との間に角度調整部５０を設けることで、羽板４０の水平方向における位置を変更させることができる．これにより、図を参照しつつ後述するように、基部１０の取付位置と吹出風の吹出口とが水平方向に離れているときでも、羽板４０を吹出口の下方に位置させることができ、吹出口からの吹出風を効果的に羽板４０の上面に当てることができる。
【００２４】
第１支持部２４は、支持柱２０の一部を構成するベース部２３の下面に形成された一対の板体２４ａ，２４ａから構成されており、この板体２４ａ，２４ａは、図３の（ａ）に示されるように、互いに所定距離だけ離間した状態でベース部２３の下面に立設されている。また、前記板体２４ａ，２４ａは、矩形状のベース部２３における対向する辺ないし縁（曲面部２１ｄ，２２ｄが接続される辺ないし縁）に沿って立設されている。板体２４ａ，２４ａは、下方に突出する半円形状を呈しており、その中央付近には孔２６が穿設されている。
【００２５】
〔羽板〕
羽板４０は長方形状の板体から作製されており、一方の長辺が上方に向けて湾曲した形状を呈している。この湾曲した立壁部４１は、空気調和機の吹出口から吹き出された空気が当該空気調和機の下面中央付近の吸込口へと流れ込むのを抑制する機能を有している。羽板４０の長手方向の両端、換言すれば、羽板４０の両短辺、及び羽板４０の長手方向の中央には、補強用のリブ４２が形成されている。
【００２６】
また、羽板４０の長手方向の中央には第２支持部４３が設けられている。第２支持部４３は、正面から見て上方へ突出する山形形状を呈する板体４３ａからなり、本実施形態では、この第２支持部４３は羽板４１と一体に形成されている。第２支持部４３の中央付近には孔４４が穿設されている。
【００２７】
本実施形態における羽板４０は、その上面４０ａに、例えば発砲ポリエチレンからなるシート状の断熱層４５が設けられている。断熱層４５は接着剤により羽板４０の上面４０ａに貼付されている。断熱層４５の厚さは、本発明において特に限定されるものではないが、通常、２〜１０ｍｍ程度である。このような断熱層４５を羽板４０の上面４０ａに設けることにより、冷房時において、当該羽板４０の上面４０ａに吹き付けられる冷風により羽板４０の温度が露点以下に低下し、当該羽板４０の下面４０ｂに結露が生じるのを防ぐことができる。
【００２８】
〔中間支持部〕
中間支持部３０は、正面から見て下方に突出する円弧形状を呈する部材であり、図１及び図４に示されるように、前板部３１、後板部３２、及びこれら両板部３１、３２の各上端側を接続する天板部３３を有している。天板部３３の上面３３ａには、一対の係合突起３４が左右方向に所定距離だけ離間して立設されている。図４の（ｃ）に示されるように、係合突起３４の上縁の両隅部は面取りされている。各係合突起３４の上部中央付近には孔（上部孔）３５が穿設されている。また、前板部３１及び後板部３２の中央付近にも孔（下部孔）３６が穿設されている。
【００２９】
〔角度調整機構〕
本実施形態では、羽板４０の向きを上下方向及び左右方向に変更することができる角度調整機構として、前述した第１支持部２４、第２支持部４３及び中間支持部３０で構成される支持部と、後述する第１ボルト及び第２ボルトからなる軸部とを採用している。
図５は、支持柱２０と中間支持部３０との接続状態を説明する図であり、（ａ）は正面図、（ｂ）は側面図である。第１支持部２４の対向する一対の板体２４ａの外側面間の距離ｄ２（図３の（ａ）参照）は、中間支持部３０の一対の係合突起３４間の距離ｄ３（図４の（ｂ）参照）よりもわずかに小さくなるように設定されている。第１支持部２４の一対の板体２４ａを中間支持部３０の一対の係合突起３４の間に挟み込み、第１支持部２４の孔２６の中心と、係合突起３４の孔３５の中心とが同一直線上に位置するように板体２４ａ又は係合突起３４の位置を調整した後に孔３５及び孔２６に第１ボルト４を挿通し、ついで第１ボルト４の先端側からナット５を締め付けることで、羽板４０の向きを上下方向に変更する角度調整機構を構成することができる。
【００３０】
図６は、中間支持部３０と羽板４０との接続状態を説明する図であり、（ａ）は正面図、（ｂ）は側面図である。第２支持部４３を構成する板体４３ａの厚さｔ２（図６の（ｂ）参照）は、中間支持部３０の前板部３１と後板部３２との間の距離ｄ４（図４の（ｃ）参照）よりもわずかに小さくなるように設定されている。第２支持部４３の板体４３ａを中間支持部３０の前板部３１と後板部３２との間に挟み込み、前板部３１及び後板部３２の孔３６の中心と、第２支持部４３の板体４３ａの孔４４の中心とが同一直線上に位置するように前板部３１及び後板部３２又は板体４３ａの位置を調整した後に孔３６及び孔４４に第２ボルト６を挿通し、ついで第２ボルト６の先端側からナット７を締め付けることで、羽板４０の向きを左右方向に変更する角度調整機構を構成することができる。
前述したナット５による第１ボルト４の締め付け、及び、ナット７による第２ボルト６の締め付けは、当該第１ボルト４及び／又は第２ボルト６を回動軸として羽板４０を上下方向及び／又は左右方向に変更させることはできるが、一旦、羽板４０の姿勢を決めた後は当該姿勢を保持することができる程度の締付力に調整される。
【００３１】
なお、本実施形態では、角度調整機構の回動操作によりナット５、７が緩むのを防止するために、ナット５と係合突起３４との間、及び、ナット７と後板部３２との間にワッシャ８を配設している。また、本実施形態では、第１ボルト４及び第２ボルト６の頭部、並びに、ナット５及びナット７を合成樹脂で作製している。第１ボルト４及び第２ボルト６の各ねじ部は金属製である。このように、ねじ部を金属製とし、他の部位（ボルトの頭部及びナット）を合成樹脂製とすることで、必要な強度を確保しつつ全体の軽量化を図ることができる。また、外部に露出する部位を合成樹脂製とすることで、耐腐食性を向上させることができる。
【００３２】
次に本実施形態に係る風向調整具１を空気調和機に取り付ける態様について説明する。
図７は、風向調整具１を空気調和機（室内機）ＡＣの化粧パネル６０に取り付ける場合を示している。空気調和機ＡＣは、空調室の天井面６１に埋め込まれるタイプの室内機であり、天井裏スペースの配設されるケーシング６２、及び天井面６１の開口に配置される化粧パネル６０を備えている。ケーシング６２は、下面が開口した略箱形状を呈しており、このケーシング６２内には、モータ６３ａとファンロータ６３ｂとからなる送風機６３、この送風機６３を囲むように配設された熱交換器６４、この熱交換機６４からの凝縮水を貯留するドレンパン６５、及び、このドレンパン６５に溜まった凝縮水を機外に排出するドレンポンプ（図示せず）が配設されている。
【００３３】
化粧パネル６０は、前記ケーシング６２の下面中央の開口を覆うように配設されており、空調室の空気を吸い込むための吸込口６６と、この吸込口６６の外周において矩形を描くように配置された４つの吹出口６７とを有している。吸込口６６には、吸込グリル６８と、この吸込グリル６８から吸い込まれた空気中の塵埃などを除去するためのフィルタ６９と、このフィルタ６９の上方において、吸込口６６から吸い込まれた空気をケーシング６２内に案内するベルマウス７０が配設されている。一方、吹出口６７には、図示しないモータによって当該吹出口６７の長手方向に延びる軸回りに揺動されるフラップ７１が設けられており、このフラップ７１の揺動により、吹出口６７から空調室内に吹き出される空気流の向きを変更させることができるようになっている。
【００３４】
図７に示される態様では、基部１０の板部１１の上面が化粧パネル６０の下面６０ａに固定されている。板部１１の固定は、例えば接着剤や両面テープを用いて行うことができる。風向調整具１を化粧パネル６０へ固定した後、角度調整部５０により、羽板４０が吹出口６７の略下方に位置するように支持柱２０を前後方向（図７において左右方向）に回動させる。
【００３５】
角度調整機構の第１ボルト４又は第２ボルト６を軸として、羽板４０を上下方向及び／又は左右方向に回動させることにより、当該羽板４０の向きを多方向に変更させることができ、これにより吹出口６７から吹き出される空気の向きを多方向に変更させることができる。その結果、室内の気流の制御を従来よりも高精度に行うことができ、例えば、冷房時において冷風が体に強く当たり不快に感じたり、あるいは逆に冷風が来なくて冷えが足りないといった不具合を緩和することができる。
【００３６】
図８は、風向調整具１の基部１０の板部１１を天井面６１と化粧パネル６０との間に挿入して、当該風向調整具１を天井面６１に取り付ける場合を示している。この場合、図２の（ｂ）に示されるように、板部１１の先端（天井面６１と化粧パネル６０との間に挿入される側の先端）に凸条１４を形成することが好ましい。このような凸条１４を設けることで、天井面６１と化粧パネル６０との間から基部１０が抜け出るのを確実に防止することができる。
図８に示される態様においても、風向調整具１を天井面６１に取り付けた後、角度調整部５０により、羽板４０が吹出口６７の略下方に位置するように支持柱２０を前後方向（図７において左右方向）に回動させる。
【００３７】
本発明の風向調整具は、空気調和機の吹出口から吹き出された空気流の向きを変更する目的のために種々のタイプの空気調和機に適用が可能である。吹出風が一方向にしか吹き出されない一方向型の空気調和機や、二方向にしか吹き出されない二方向型の空気調和機に好適に適用することができるが、図７〜８に示されるような四方向吹き出し型の空気調和機など他のタイプの空気調和機にも適用することができる。四方向吹き出し型の空気調和機では、空調室の気流をある程度制御することが可能であるが、それでも空調室の隅部などへの空気の供給が不十分になることがある。また、吹出風が直接に当たるのを避けたいという要請もある。このような場合に、本発明の風向調整具を用いることで吹出風の向きを変更して、不具合を解消又は緩和させることができる。
【００３８】
〔その他の変形例〕
なお、今回開示された実施の形態はすべての点において単なる例示であって制限的なものではないと考えられるべきである。本発明の範囲は、前記した意味ではなく、特許請求の範囲によって示され、特許請求の範囲と均等の意味及び範囲内のすべての変更が含まれることが意図される。
【００３９】
例えば、前述した実施形態では、空気調和機のケーシングとは別体の化粧パネルに風向調整具を取り付けているが、これに限定されるものではない。すなわち、ケーシングの開口端が外方にフランジ状に折り曲げられ、この折り曲げられた部分が天井面に当接するタイプの空気調和機の場合は、当該折り曲げられた部分に風向調整具を取り付けることができる。したがって、本明細書において「ケーシング」とは、空気調和機の送付機や熱交換器などを収容する筐体だけでなく、当該筐体の開口に配置される、いわゆる化粧パネルも含む概念である。
【００４０】
また、前述した実施形態では、角度調整機構として、支持部（第１支持部、第２支持部及び中間支持部）と軸部（第１ボルト及び第２ボルト）とで構成されたものを採用しているが、本発明はこれに限定されるものではなく、他の機構、例えばボールジョイントを採用することもできる。この場合、上下方向と左右方向との組み合わせで多方向を実現するのではなく、ボールの回転位置だけで多方向を実現することができ、よりスムーズに羽板の向きを変更させることができる。
【符号の説明】
【００４１】
１      風向調整具
４      第１ボルト
５      ナット
６      第２ボルト
７      ナット
１０      基部
１２      支持部
１３      孔
２０      支持柱
２１      柱部
２１ａ    係止部
２２      柱部
２２ａ    係止部
２４      第１支持部
２５      孔
２６      孔
３０      中間支持部
３４      係合突起
３５      孔
３６      孔
４０      羽板
４２      リブ
４３      第２支持部
４４      孔
４５      断熱層
５０      角度調整部
６０      化粧パネル
６１      天井面
６２      ケーシング
６７      吹出口
ＡＣ      空気調和機
【図１】
2015075322.tif 000003
【図２】
2015075322.tif 000004
【図３】
2015075322.tif 000005
【図４】
2015075322.tif 000006
【図５】
2015075322.tif 000007
【図６】
2015075322.tif 000008
【図７】
2015075322.tif 000009
【図８】
2015075322.tif 000010
【図９】
2015075322.tif 000011
【図１０】
2015075322.tif 000012